(57)【要約】  トップローディング衣類処理設備及びその蓋開閉システムであって、トップローディング衣類処理設備は、ハウジング、ハウジング内に設置される外筒、及び外筒内に駆動可能に設置される内筒を備え、内筒には内筒蓋が設けられ、蓋開閉システムは蓋開放システム及び/又は蓋閉止システムを含む。【選択図】図１
2021519618.tif 000002
【特許請求の範囲】
【請求項１】
ハウジングと、前記ハウジング内に設置される外筒と、前記外筒内に枢動可能に設置され、内筒蓋が設けられる内筒とを備えるトップローディング衣類処理設備であって、
蓋開放システム及び/又は蓋閉止システムを含むことを特徴とするトップローディング衣類処理設備用の蓋開閉システム。
【請求項２】
前記蓋開放システムは、前記ハウジング又は前記外筒に設置される蓋開放ロックを含み、
前記蓋開放ロックには、突出して前記内筒蓋に設置される蓋開放ボタンに当接することで前記内筒蓋を開くことができる第１のラッチが設けられることを特徴とする請求項１に記載のトップローディング衣類処理設備用の蓋開閉システム。
【請求項３】
前記蓋開放ロックには、さらに、突出して前記内筒蓋に当接することで前記第１のラッチを前記蓋開放ボタンに当接させることができる第２のラッチが設けられることを特徴とする請求項２に記載のトップローディング衣類処理設備用の蓋開閉システム。
【請求項４】
前記内筒蓋にはストッパが設けられており、前記内筒蓋は、前記ストッパによって前記第２のラッチに当接することを特徴とする請求項３に記載のトップローディング衣類処理設備用の蓋開閉システム。
【請求項５】
前記ハウジング内には、前記内筒に駆動接続され、前記内筒を駆動して前記ストッパと前記第２のラッチとが合わさる位置まで回動させるための駆動モーターが設けられることを特徴とする請求項４に記載のトップローディング衣類処理設備用の蓋開閉システム。
【請求項６】
前記蓋開放システムは、さらに前記蓋開放ロックと前記駆動モーターにそれぞれ制御接続されるコントローラを含み、
前記コントローラは、前記第２のラッチを突出させるように前記蓋開放ロックを制御するために、前記内筒を駆動して前記ストッパと前記第２のラッチとが合わさる位置まで回動させるように前記駆動モーターを制御するために、及び前記第１のラッチを突出させて前記内筒蓋を開くように前記蓋開放ロックを制御するために使用されることを特徴とする請求項５に記載のトップローディング衣類処理設備用の蓋開閉システム。
【請求項７】
前記第１のラッチの自由端には第１のローラーが設けられ、前記第１のラッチは前記第１のローラーを通じて前記蓋開放ボタンに当接することを特徴とする請求項２〜６のいずれか一項に記載のトップローディング衣類処理設備用の蓋開閉システム。
【請求項８】
前記第２のラッチの自由端には第２のローラーが設けられ、前記第２のラッチは前記第２のローラーを通じて前記ストッパに当接することを特徴とする請求項４〜６のいずれか一項に記載のトップローディング衣類処理設備用の蓋開閉システム。
【請求項９】
前記内筒蓋と前記内筒の間には戻しバネが設けられており、前記第１のラッチが前記蓋開放ボタンに当接すると、前記戻しバネは自動的に前記内筒蓋を開くことができることを特徴とする請求項２〜６のいずれか一項に記載のトップローディング衣類処理設備用の蓋開閉システム。
【請求項１０】
前記蓋閉止システムは、前記ハウジング又は前記外筒に設置される蓋閉止ロックを含み、
前記蓋閉止ロックには、突出すると前記内筒蓋に当接することで前記内筒蓋を閉じることができる第１のラッチが設けられることを特徴とする請求項１に記載のトップローディング衣類処理設備用の蓋開閉システム。
【請求項１１】
前記蓋閉止ロックには、さらに、突出すると前記内筒蓋に当接することで前記第１のラッチを前記内筒蓋に当接させて前記内筒蓋を閉じることができる第２のラッチが設けられることを特徴とする請求項１０に記載のトップローディング衣類処理設備用の蓋開閉システム。
【請求項１２】
前記内筒蓋にはストッパが設けられており、前記内筒蓋は、前記ストッパによって前記第２のラッチに当接することを特徴とする請求項１１に記載のトップローディング衣類処理設備用の蓋開閉システム。
【請求項１３】
前記ハウジング内には、前記内筒に駆動接続され、前記内筒を駆動して前記ストッパと前記第２のラッチとが合わさる位置まで回動させるための駆動モーターが設けられることを特徴とする請求項１２に記載のトップローディング衣類処理設備用の蓋開閉システム。
【請求項１４】
前記蓋閉止システムは、さらに前記蓋閉止ロックと前記駆動モーターにそれぞれ制御接続されるコントローラを含み、
前記コントローラは、前記第２のラッチを突出させるように前記蓋閉止ロックを制御するために、前記内筒を駆動して前記ストッパと前記第２のラッチとが合わさる位置まで回動させるように前記駆動モーターを制御するために、及び前記第１のラッチを突出させて前記内筒蓋を閉じるように前記蓋閉止ロックを制御するために使用されることを特徴とする請求項１３に記載のトップローディング衣類処理設備用の蓋開閉システム。
【請求項１５】
前記第１のラッチの自由端には第１のローラーが設けられ、前記第１のラッチは前記第１のローラーを通じて前記内筒蓋に当接することを特徴とする請求項１０〜１４のいずれか一項に記載のトップローディング衣類処理設備用の蓋開閉システム。
【請求項１６】
前記第２のラッチの自由端には第２のローラーが設けられ、前記第２のラッチは前記第２のローラーを通じて前記ストッパに当接することを特徴とする請求項１２〜１４のいずれか一項に記載のトップローディング衣類処理設備用の蓋開閉システム。
【請求項１７】
前記内筒蓋と前記内筒の間には戻しバネが設けられており、前記第１のラッチが前記内筒蓋に当接するときに、前記内筒蓋は緩やかに閉じることができるように、前記内筒蓋が前記戻しバネにより開く傾向にあることを特徴とする請求項１０〜１４のいずれか一項に記載のトップローディング衣類処理設備用の蓋開閉システム。
【請求項１８】
請求項１〜１７のいずれか一項に記載の蓋開閉システムを備えることを特徴とするトップローディング衣類処理設備。
【請求項１９】
前記トップローディング衣類処理設備は洗濯機、乾燥機、又は一体型洗濯乾燥機であることを特徴とする請求項１８に記載のトップローディング衣類処理設備。
【発明の詳細な説明】
【技術分野】
【０００１】
本発明は家庭電器の分野に関するもので、具体的にはトップローディング衣類処理設備及びその蓋開閉システムが提供される。
【背景技術】
【０００２】
トップローディングドラム洗濯機は、主に、ハウジング、外筒、内筒を備える。その中で、ハウジングの頂部には上蓋が設けられ、外筒の周方向に上蓋と合わさる位置に、外筒蓋が設けられ、内筒の周方向に外筒蓋と対応する位置に、内筒蓋が設けられる。内筒蓋が回動して内筒の頂部に到達すると、上蓋、外筒蓋と内筒蓋が合わさるようになり、ユーザーは、上蓋、外筒蓋と内筒蓋を開き、衣類を内筒内に投入したり、内筒内から衣類を取り出したりすることができる。
【０００３】
しかし、従来技術におけるトップローディングドラム洗濯機は、ユーザーが外筒蓋と内筒蓋を別々に操作して、外筒蓋と内筒蓋を別々に開けたり、閉じたりする必要がある。外筒蓋と内筒蓋の上述した操作手順は煩雑であり、ユーザーにとって使用が不便で、ユーザー体験が悪い。
【０００４】
したがって、上記課題を解決するため、本分野では新しいトップローディングドラム洗濯機が必要とされる。
【発明の概要】
【０００５】
従来技術における上記の問題、すなわち、従来のトップローディングドラム洗濯機は外筒蓋と内筒蓋の開放操作が複雑であるという問題を解決するために、本発明は、トップローディング衣類処理設備用の蓋開閉システムが提供され、前記トップローディング衣類処理設備は、ハウジング、前記ハウジング内に設置される外筒、及び前記外筒内に駆動可能に設置される内筒を備え、前記内筒には内筒蓋が設けられ、前記蓋開閉システムは蓋開放システム及び/又は蓋閉止システムを含む。
【０００６】
前記蓋開閉システムの好ましい技術案では、前記蓋開放システムは、前記ハウジング又は前記外筒に設置される蓋開放ロックを含み、前記蓋開放ロックには、突出して前記内筒蓋に設置される蓋開放ボタンに当接することで前記内筒蓋を開くことができる第１のラッチが設けられる。
【０００７】
前記蓋開閉システムの好ましい技術案では、前記蓋開放ロックには、さらに、突出して前記内筒蓋に当接することで前記第１のラッチを前記蓋開放ボタンに当接させることができる第２のラッチが設けられる。
【０００８】
前記蓋開閉システムの好ましい技術案では、前記内筒蓋にはストッパが設けられており、前記内筒蓋は、前記ストッパによって前記第２のラッチに当接する。
【０００９】
前記蓋開閉システムの好ましい技術案では、前記ハウジング内には、前記内筒に駆動接続され、前記内筒を駆動して前記ストッパと前記第２のラッチとが合わさる位置まで回動させるための駆動モーターが設けられる。
【００１０】
前記蓋開閉システムの好ましい技術案では、前記蓋開放システムは、さらに前記蓋開放ロックと前記駆動モーターにそれぞれ制御接続されるコントローラを含み、前記コントローラは、前記第２のラッチを突出させるように前記蓋開放ロックを制御するために、前記内筒を駆動して前記ストッパと前記第２のラッチとが合わさる位置まで回動させるように前記駆動モーターを制御するために、及び前記第１のラッチを突出させて前記内筒蓋を開くように前記蓋開放ロックを制御するために使用される。
【００１１】
前記蓋開閉システムの好ましい技術案では、前記第１のラッチの自由端には第１のローラーが設けられ、前記第１のラッチは前記第１のローラーを通じて前記蓋開放ボタンに当接する。
【００１２】
前記蓋開閉システムの好ましい技術案では、前記第２のラッチの自由端には第２のローラーが設けられ、前記第２のラッチは前記第２のローラーを通じて前記ストッパに当接する。
【００１３】
前記蓋開閉システムの好ましい技術案では、前記内筒蓋と前記内筒の間には戻しバネが設けられており、前記第１のラッチが前記蓋開放ボタンに当接すると、前記戻しバネは自動的に前記内筒蓋を開くことができる。
【００１４】
また、本発明はさらに、前記蓋開閉システムの好ましい技術案のいずれか一項に記載の蓋開放システムを備えるトップローディング衣類処理設備が提供される。
【００１５】
前記トップローディング衣類処理設備の好ましい技術案では、前記トップローディング衣類処理設備は洗濯機、乾燥機、又は一体型洗濯乾燥機である。
【００１６】
前記蓋開閉システムの好ましい技術案では、前記蓋閉止システムは、前記ハウジング又は前記外筒に設置される蓋閉止ロックを含み、前記蓋閉止ロックには、突出して前記内筒蓋に当接することで前記内筒蓋を閉じることができる第１のラッチが設けられる。
【００１７】
前記蓋開閉システムの好ましい技術案では、前記蓋閉止ロックには、さらに、突出して前記内筒蓋に当接することで前記第１のラッチを前記内筒蓋に当接させて前記内筒蓋を閉じることができる第２のラッチが設けられる。
【００１８】
前記蓋開閉システムの好ましい技術案では、前記内筒蓋にはストッパが設けられており、前記内筒蓋は、前記ストッパによって前記第２のラッチに当接する。
【００１９】
前記蓋開閉システムの好ましい技術案では、前記ハウジング内には、前記内筒に駆動接続され、前記内筒を駆動して前記ストッパと前記第２のラッチとが合わさる位置まで回動させるための駆動モーターが設けられる。
【００２０】
前記蓋開閉システムの好ましい技術案では、前記蓋閉止システムは、さらに前記蓋閉止ロックと前記駆動モーターにそれぞれ制御接続されるコントローラを含み、前記コントローラは、前記第２のラッチを突出させるように前記蓋閉止ロックを制御するために、前記内筒を駆動して前記ストッパと前記第２のラッチとが合わさる位置まで回動させるように前記駆動モーターを制御するために、及び前記第１のラッチを突出させて前記内筒蓋を閉じるように前記蓋閉止ロックを制御するために使用される。
【００２１】
前記蓋開閉システムの好ましい技術案では、前記第１のラッチの自由端には第１のローラーが設けられ、前記第１のラッチは前記第１のローラーを通じて前記内筒蓋に当接する。
【００２２】
前記蓋開閉システムの好ましい技術案では、前記第２のラッチの自由端には第２のローラーが設けられ、前記第２のラッチは前記第２のローラーを通じて前記ストッパに当接する。
【００２３】
前記蓋開閉システムの好ましい技術案では、前記内筒蓋と前記内筒の間には戻しバネが設けられており、前記第１のラッチが前記内筒蓋に当接するときに、前記内筒蓋は緩やかに閉じることができるように、前記内筒蓋が前記戻しバネにより開く傾向にある。
【００２４】
また、本発明はさらに、前記蓋開閉システムの好ましい技術案のいずれか一項に記載の蓋閉止システムを備えるトップローディング衣類処理設備が提供される。
【００２５】
前記トップローディング衣類処理設備の好ましい技術案では、前記トップローディング衣類処理設備は洗濯機、乾燥機、又は一体型洗濯乾燥機である。
【００２６】
当業者は、本発明の好ましい技術案では、ハウジング又は外筒に蓋開放ロックを設置することにより、当該蓋開放ロックの第１のラッチが突出する時に、内筒蓋上における蓋開放ボタンに当接できるとともに、第１のラッチがさらに突出することに伴い、蓋開放ボタンが押され、内筒蓋をロック解除することができるようになると理解できる。ロック解除された内筒蓋は、自身の戻しバネの作用で自動的に開くことができる。そのため、本発明の蓋開放システムをトップローディングドラム洗濯機に適用すると、洗濯機の内筒蓋は自動的にロック解除して開くことができ、好ましくは、内筒蓋は、ユーザーが外筒蓋を開くと同時に、又はその後、自動的に開かれる。そのため、本発明の蓋開放システムは、ユーザーが内筒蓋を手動で開放する操作を低減させ、ユーザー体験が最適化される。
【００２７】
好ましくは、蓋開放ロックには、さらに第２のラッチが設けられ、内筒蓋にはストッパが設けられる。洗濯機が洗濯作業を完了した後、内筒は、まず位置決めロックにより、内筒蓋と外筒蓋とが合わさる位置に、位置決めされる。そして、位置決めロックのラッチが退縮され、内筒が駆動モーターの駆動により回動し、また第２のラッチが突出する。内筒が第２のラッチとストッパーとが当接する位置に回動すると、内筒は回動を停止する。第１のラッチを突出させて、内筒蓋をロック解除して開く。内筒蓋をロック解除して開いた後、第１のラッチと第２のラッチはいずれも退縮される。内筒を内筒蓋と外筒蓋とが合わさる位置に再度回動させ、位置決めロックで内筒をロックする。最後に、上蓋と外筒蓋を開き、外筒蓋が開かれた後、内筒蓋は自身の戻しバネの作用で自動的に開かれるようになる。
【００２８】
以下、本発明の好ましい実施形態を、図面を参照しながら、トップローディングドラム洗濯機と合わせて説明する。
【図面の簡単な説明】
【００２９】
【図１】本発明の外筒と内筒の斜視図である。
【図２】図１におけるＡ部分の拡大図である。
【図３】本発明の蓋開放システムの構造概略図である。
【図４】図３におけるＢ部分の拡大図である。
【図５】本発明の内筒蓋が開かれる時のフローチャートである。
【図６】本発明の蓋閉止システムの構造概略図である。
【図７】図６におけるＣ部分の拡大図である。
【図８】本発明の内筒蓋が閉じられる時のフローチャートである。
【発明を実施するための形態】
【００３０】
当業者は、本実施形態が本発明の技術的原理を説明するためだけに使用され、本発明の保護範囲を制限するためのものではないと理解すべきである。例えば、本発明の位置決め装置はトップローディングドラム洗濯機にだけでなく、トップローディング乾燥機とトップローディング一体型洗濯乾燥機にも適用できる。当業者は、具体的な用途に適応するために必要に応じてそれを調整することができ、調整された技術案は、依然として本発明の保護範囲に属する。
【００３１】
なお、本発明の説明において、用語「中心」、「上」、「下」、「左」、「右」、「鉛直」、「水平」、「内」、「外」などの方向又は位置関係を示す用語は、図面に示される方向又は位置関係に基づいており、これは説明の便宜上のものであり、前記装置又は素子が特定の方向を有し、特定の方向で構築や操作をする必要があることを示したり暗示したりするものではないため、本発明に対する制限としては理解されない。また、用語「第１」、「第２」、「第３」は目的を説明するためだけに使用され、相対的な重要性を示したり暗示したりするものとは理解できない。
【００３２】
また、本発明の説明において、特に明確な規定や限定がない限り、用語「装着」、「連通」、「接続」は広義的に理解されるべきであり、例えば、固定接続であっても良いし、取り外し可能に接続しても良いし、一体的に接続しても良い。機械的な接続であっても良いし、電気的な接続であっても良い。直接に接続しても良いし、中間媒体を介して間接的に接続しても良いし、２つの素子の内部における連通であってもよい。当業者にとって、具体的な状況に応じて上述の用語が本発明における具体的な意味を理解できる。
【００３３】
図１に示すように、本発明のトップローディングドラム洗濯機は、主に、ハウジング（図示せず）、外筒１、及び内筒２を外側から内側に向けて順に備える。その中で、ハウジングの頂部には上蓋（図示せず）が設けられ、外筒１の頂部に上蓋と合わさる位置に、外筒蓋（図示せず）が設けられ、内筒２の周方向に外筒蓋と対応する位置に、内筒蓋が設けられる。内筒蓋が回動して内筒２の頂部に到達すると、上蓋、外筒蓋と内筒蓋が合わさるようになり、ユーザーは、上蓋、外筒蓋と内筒蓋を開き、衣類を内筒２内に投入したり、内筒２内から衣類を取り出したりすることができる。
【００３４】
さらに、図１に示すように、内筒蓋は、分割型の第１の内筒蓋２１と第２の内筒蓋２２とを備え、また第１の内筒蓋２１と第２の内筒蓋２２は、閉じられた後に互いにロック可能である。その中で、第１の内筒蓋２１と内筒２との間には、第１の内筒蓋２１を閉じた状態から自動的に開くための第１の戻しバネ（図示せず）が設けられている。第２の内筒蓋２２と内筒２との間には、第２の内筒蓋２２を閉じた状態から自動的に開くための第２の戻しバネ（図示せず）が設けられている。
【００３５】
さらに、図示してしないが、第１の内筒蓋２１と第２の内筒蓋２２との間には連動機構を有し、当該連動機構によって、第１の内筒蓋２１と第２の内筒蓋２２を同期して開いたり、閉じたりすることができる。第１の内筒蓋２１と第２の内筒蓋２２を同期して開いたり、閉じたりすることを実現する連動機構は、トップローディングドラム洗濯機における比較的一般的な機構であるため、ここでは説明を省略する。
【００３６】
図１及び図２に示すように、第１の内筒蓋２１には、蓋開放ボタン２１１が設けられる。蓋開放ボタン２１１が押されると、互いにロックされている第１の内筒蓋２１と第２の内筒蓋２２はロック解除することができる。第１の内筒蓋２１と第２の内筒蓋２２はロック解除された後、第１の戻しバネと第２の戻しバネの作用で自動的に開くことができる。
【００３７】
引き続き図１を参照すると、本発明のトップローディングドラム洗濯機はさらに、ベルト車３、ベルト４と駆動モーター５を備える。当該ベルト車３は、外筒１の外側に設置され、且つ内筒２と同軸に固定される。駆動モーター５は、ハウジング内に設置され、当業者は必要に応じて駆動モーター５をハウジングや外筒１に固定できる。駆動モーター５の出力軸は、駆動モーター５が回動する時にベルト４を介してベルト車３を回動駆動し、さらに内筒２を回動駆動することができるように、ベルト４を介してベルト車３に駆動接続される。
【００３８】
さらに、図示していないが、本発明のトップローディングドラム洗濯機は、さらに外筒に設置される位置決めロックを備える。内筒２は内筒蓋と外筒蓋とが合わさる位置まで回動すると、位置決めロックのラッチが突出した後ベルト車３に設置されるロックスロットに挿入され、内筒２をベルト車３とともに現在の位置にロックできる。
【００３９】
引き続き図１を参照すると、本発明のトップローディングドラム洗濯機は、さらに蓋開放システムと蓋閉止システムのいずれかを含む蓋開閉システムを備える。その中で、蓋開放システムは、主に、洗濯機の洗濯終了後に第１の内筒蓋２１と第２の内筒蓋２２を自動的に開くための蓋開放ロック６が備えられる。蓋閉止システムは、主に、洗濯機の洗濯開始前に第１の内筒蓋２１と第２の内筒蓋２２を自動的に閉じるための蓋閉止ロック７が備えられる。
【００４０】
以下、本発明の蓋開放システムを図１から図４と合わせて、詳しく説明する。
【００４１】
図１及び図２に示すように、本発明の蓋開放ロック６は外筒１に設置され、且つ外筒の口元付近に設置される。あるいは、当業者はまた、必要に応じて、蓋開放ロック６をハウジングに設置することもできる。さらに、本発明の蓋開放システムは、さらに第１の内筒蓋２１に設置される第１のストッパ２１２を含む。当該第１のストッパ２１２は、蓋開放ロック６と協働して、ともに閉止状態にある第１の内筒蓋２１及び第２の内筒蓋２２が自動的に開かれるようにする。当業者は、本発明の第１のストッパ２１２が、例えばフック、板状構造、柱状構造などの如何なる実現可能な構造であってもよいと理解できる。
【００４２】
図３及び図４に示すように、本発明の蓋開放ロック６は、主に、蓋開放ロック本体（図示せず）と、第１のラッチとしての蓋開放ラッチ６１と、第２のラッチとしての蓋開放位置決めラッチ６２と、駆動部材（図示せず）とを備える。その中で、蓋開放ラッチ６１と蓋開放位置決めラッチ６２は、自身の軸線方向に沿って蓋開放ロック本体にスライド可能に接続される。駆動部材は、蓋開放ラッチ６１と蓋開放位置決めラッチ６２を駆動して自身の軸線方向に沿ってスライドさせるために使用される。好ましくは、蓋開放位置決めラッチ６２は２つあり、それぞれ蓋開放ラッチ６１の両側に設置され、第１の内筒蓋２１は、蓋開放位置決めラッチ６２が第１のストッパ２１２に当接する時に変形するのを防止するために用いられる。それに対応して、第１のストッパ２１２も２つ設けられている。蓋開放位置決めラッチ６２が突出すると、第１のストッパ２１２は、内筒２の回動に伴って蓋開放位置決めラッチ６２に当接できる。第１のストッパ２１２が蓋開放位置決めラッチ６２に当接すると、蓋開放ラッチ６１は、突出した後、ちょうど蓋開放ボタン２１１に当接できる。なお、蓋開放ラッチ６１が蓋開放ボタン２１１に当接できることを保証することを前提にして、蓋開放位置決めラッチ６２の数は、図４に示された２つに限定されず、例えば、１つ、３つや４つなど、任意の数であってもよい。さらに、蓋開放ラッチ６１が蓋開放ボタン２１１に当接できることを保証することを前提にして、当業者はまた、必要に応じて蓋開放位置決めラッチ６２と第１のストッパ２１２の設置を省略することもでき、例えば、内筒２に角度センサーを設け、当該角度センサーによって内筒２を蓋開放ボタン２１１と蓋開放ラッチ６１とが合わさる位置まで正確に回動させる。
【００４３】
図示していないが、本発明の蓋開放システムは、さらに、位置決めロック、駆動モーター５、及び蓋開放ロック６の動作を制御するためのコントローラを含む。
【００４４】
以下、図５を参照して本発明の蓋開放システムが内筒蓋を開く主なステップを、説明する。
【００４５】
ステップＳ１１に示すように、洗濯機の洗濯作業が完了した後、コントローラは駆動モーター５を制御して、ベルト車３をロックスロットと位置決めロックのラッチとが合わさる位置まで回動させ、その後位置決めロックのラッチをロックスロットに挿入させて内筒２を内筒蓋と外筒蓋とが合わさる位置にロックする。
【００４６】
ステップＳ１２に示すように、位置決めロックがベルト車３をロックした後（例えば５秒間隔後）、コントローラは駆動モーター５を制御して、ベルト車３を内筒２を伴って逆回動させるとともに、蓋開放ロック６の蓋開放位置決めラッチ６２を突出させる。
【００４７】
ステップＳ１３に示すように、第１の内筒蓋２１上における第１のストッパ２１２が突出した蓋開放位置決めラッチ６２に当接すると、コントローラは駆動モーター５の回動を停止させ、これにより内筒２も回動を停止するようになる。さらに、コントローラは、蓋開放ロック６の蓋開放ラッチ６１を突出させる。あるいは、当業者は、必要に応じて、蓋開放ラッチ６１を、蓋開放位置決めラッチ６２が突出すると同時に突出させることもできる。
【００４８】
ステップＳ１４に示すように、蓋開放ラッチ６１は、突出するのに伴い第１の内筒蓋２１上における蓋開放ボタン２１１に当接するとともに、蓋開放ボタン２１１を押すことにより、第１の内筒蓋２１と第２の内筒蓋２２をロック解除することができる。第１の内筒蓋２１と第２の内筒蓋２２がロック解除された後、コントローラは、蓋開放ラッチ６１と蓋開放位置決めラッチ６２を退縮させ、駆動モーター５で内筒２を駆動して正方向に回動させる。
【００４９】
当業者は、第１の内筒蓋２１と第２の内筒蓋２２がロック解除された後、第１の内筒蓋２１と第２の内筒蓋２２の自由端は第１の戻しバネと第２の戻しバネの作用で、外筒１の内壁又は外筒蓋の内側に押し付けられると理解できる。
【００５０】
ステップＳ１５に示すように、内筒２は内筒蓋と外筒蓋とが合わさる位置まで再び回動すると、コントローラは、駆動モーター５の回動を停止させ、位置決めロックのラッチをベルト車３上におけるロックスロットに挿入させて内筒２とベルト車３とをロックする。
【００５１】
そのため、本発明の蓋開放システムによって、ユーザーが内筒蓋を手動で開放する操作を低減させ、ユーザー体験が最適化される。
【００５２】
なお、ステップＳ１３に対応して、蓋開放ロック６内には、蓋開放位置決めラッチ６２が第１のストッパ２１２に当接しているか否かを検出するためのセンサーが設けられている。当業者は、当該センサーが、例えば蓋開放位置決めラッチ６２の底端に設置される圧力センサー、蓋開放位置決めラッチ６２の頂端に設置される近接スイッチ、第１のストッパ２１２に接触可能なスイッチなど、如何なる実現可能なセンサーであってもよいと理解できる。
【００５３】
また、ステップＳ１４に対応して、蓋開放ラッチ６１の突出ストロークは、蓋開放ラッチ６１が完全に突出した後、ちょうど蓋開放ボタン２１１を押して、第１の内筒蓋２１と第２の内筒蓋２２がロック解除することができるように設置される。また、蓋開放ラッチ６１が完全に突出した後、コントローラは蓋開放ラッチ６１を退縮させる。
【００５４】
さらに、蓋開放ラッチ６１と蓋開放位置決めラッチ６２の摩損を防止するために、当業者はまた、必要に応じて、蓋開放ラッチ６１と蓋開放位置決めラッチ６２の自由端にそれぞれローラーを設置して、蓋開放ラッチ６１と蓋開放位置決めラッチ６２が、それぞれ各自のローラーを介して、蓋開放ボタン２１１と第１のストッパ２１２に当接することもできる。
【００５５】
以下、本発明の蓋閉止システムを図１、図２、図６及び図７と合わせて、詳しく説明する。
【００５６】
図１及び図２に示すように、本発明の蓋閉止ロック７は外筒１に設置され、且つ外筒口付近に設置される。あるいは、当業者はまた、必要に応じて、蓋閉止ロック７をハウジングに設置することもできる。さらに、本発明の蓋閉止システムは、さらに第２の内筒蓋２２に設置される第２のストッパ２２１を含む。当該第２のストッパ２２１は、蓋閉止ロック７と協働して、ともに開放状態での第１の内筒蓋２１及び第２の内筒蓋２２が自動的に閉じられるようにする。当業者は、本発明の第２のストッパ２２１が、例えばフック、板状構造、柱状構造などのような如何なる実現可能な構造であってもよいと理解できる。
【００５７】
図６及び図７に示すように、本発明の蓋閉止ロック７は、主に、蓋閉止ロック本体（図示せず）と、蓋閉止ラッチ７１と、蓋閉止位置決めラッチ７２と、駆動部材（図示せず）とを備える。その中で、蓋閉止ラッチ７１と蓋閉止位置決めラッチ７２は、自身の軸線方向に沿って蓋閉止ロック本体にスライド可能に接続される。駆動部材は、蓋閉止ラッチ７１と蓋閉止位置決めラッチ７２を駆動して自身の軸線方向に沿ってスライドさせるために使用される。好ましくは、蓋閉止位置決めラッチ７２は２つあり、それぞれ蓋閉止ラッチ７１の両側に設置され、第２の内筒蓋２２は、蓋閉止位置決めラッチ７２が第２のストッパ２２１に当接する時に変形されるのを防止するために用いられる。それに対応して、第２のストッパ２２１も２つ設けられている。蓋閉止位置決めラッチ７２が突出すると、第２のストッパ２２１は、内筒２の回動に伴って蓋閉止位置決めラッチ７２に当接できる。第２のストッパ２２１が蓋閉止位置決めラッチ７２に当接すると、蓋閉止ラッチ７１は突出した時に第２の内筒蓋２２を閉じることができる。なお、蓋閉止ラッチ７１が第２の内筒蓋２２を閉じることができるのを保証することを前提にして、蓋閉止位置決めラッチ７２の数は、図７に示された２つに限定されず、例えば、１つ、３つや４つなど、任意の数であってもよい。さらに、蓋閉止ラッチ７１が第２の内筒蓋２２を閉じることができるのを保証することを前提にして、当業者はまた、必要に応じて蓋閉止位置決めラッチ７２と第２のストッパ２２１の設置を省略することもでき、例えば、内筒２に角度センサーを設け、当該角度センサーによって内筒２を蓋閉止ラッチ７１が第２の内筒蓋２２を閉じることができる位置まで正確に回動させる。
【００５８】
図示していないが、本発明の蓋閉止システムは、さらに、位置決めロック、駆動モーター５、及び蓋閉止ロック７の動作を制御するためのコントローラを含む。当業者はまた、必要に応じて、蓋閉止システムと蓋開放システムが１つのコントローラを共同で使用することもできる。
【００５９】
以下、図５を参照して本発明の蓋閉止システムが内筒蓋を閉じる主なステップを、説明する。
【００６０】
ステップＳ２１に示すように、コントローラは位置決めロックを制御してラッチをベルト車３上におけるロックスロットから退縮させ、且つ駆動モーター５を制御して、ベルト車３を内筒２を伴って正回動させるとともに、蓋閉止ロック７の蓋閉止位置決めラッチ７２を突出させる。
【００６１】
ステップＳ２２に示すように、第２の内筒蓋２２上における第２のストッパ２２１が突出した蓋閉止位置決めラッチ７２に当接すると、コントローラは駆動モーター５の回動を停止させ、これにより内筒２も回動を停止するようになる。さらに、コントローラは、蓋閉止ロック７の蓋閉止ラッチ７１を突出させる。あるいは、当業者はまた、必要に応じて、蓋閉止ラッチ７１を、蓋閉止位置決めラッチ７２が突出すると同時に突出させることもできる。
【００６２】
ステップＳ２３に示すように、蓋閉止ラッチ７１は、突出するのに伴い第２の内筒蓋２２を閉じることができ、第１の内筒蓋２１と第２の内筒蓋２２との間には連動機構があるため、第２の内筒蓋２２が閉じられると同時に、第１の内筒蓋２１も閉じられることになる。第１の内筒蓋２１と第２の内筒蓋２２が閉じられた後、コントローラは、蓋閉止ラッチ７１と蓋閉止位置決めラッチ７２を退縮させる。
【００６３】
ステップＳ２４に示すように、ステップＳ２３が完了した後、コントローラは洗濯機に洗濯作業を開始させる。
【００６４】
そのため、本発明の蓋閉止システムによって、ユーザーが内筒蓋を手動で閉じる操作を低減させ、ユーザー体験が最適化される。
【００６５】
なお、ステップＳ２２に対応して、蓋閉止ロック７内には、蓋閉止位置決めラッチ７２が第２のストッパ２２１に当接しているか否かを検出するためのセンサーが設けられている。当業者は、当該センサーが、例えば蓋閉止位置決めラッチ７２の底端に設置される圧力センサー、蓋閉止位置決めラッチ７２の頂端に設置される近接スイッチ、第２のストッパ２２１に接触可能なスイッチなど、如何なる実現可能なセンサーであってもよいと理解できる。
【００６６】
また、ステップＳ２３に対応して、蓋閉止ラッチ７１の突出ストロークは、蓋閉止ラッチ７１が完全に突出した後、ちょうど第１の内筒蓋２１と第２の内筒蓋２２を閉じることができるように設置される。また、蓋閉止ラッチ７１が完全に突出した後、コントローラは蓋閉止ラッチ７１を退縮させる。
【００６７】
さらに、蓋閉止ラッチ７１と蓋閉止位置決めラッチ７２の摩損を防止するために、当業者はまた、必要に応じて、蓋閉止ラッチ７１と蓋閉止位置決めラッチ７２の自由端にそれぞれローラーを設置して、蓋閉止ラッチ７１と蓋閉止位置決めラッチ７２が、それぞれ各自のローラーを介して、第２の内筒蓋２２の外側と第２のストッパ２２１に当接することもできる。
【００６８】
当業者は、本発明の内筒蓋が、上述した好ましい実施形態における分割型の第１の内筒蓋２１と第２の内筒蓋２２に加えて、例えば、内筒蓋が、内筒２に駆動可能に接続されてもよく、内筒２にスライド可能に接続されてもよい１つの蓋体のみからなるなど、如何なる実現可能な内筒蓋であってもよいと理解できる。
【００６９】
さらに、当業者はまた、本発明のトップローディング洗濯機が、上述した好ましい実施形態に記載の別体に設置された上蓋と外筒蓋に加えて、上蓋と外筒蓋を一体に設置して、当該蓋が閉じられたときに外筒とハウジング上における衣類投入口をすべて閉じることができるようにしてもよいと理解できる。
【００７０】
これで、本発明の技術案を、図面に示された好ましい実施形態と合わせて説明したが、本発明の保護範囲がこれらの具体的な実施形態に限定されないことは、当業者には容易に理解される。本発明の原理から逸脱することなく、当業者は、関連する技術特徴に対して同等の変更又は置換を行うことができ、これらの変更又は置換後の技術案はいずれも、本発明の保護範囲に含まれる。
【符号の説明】
【００７１】
１  外筒
２  内筒
２１  第１の内筒蓋
２１１  蓋開放ボタン
２１２  第１のストッパ
２２  第２の内筒蓋
２２１  第２のストッパ
３  ベルト車
４  ベルト
５  駆動モーター
６  蓋開放ロック
６１  蓋開放ラッチ
６２  蓋開放位置決めラッチ
７  蓋閉止ロック
７１  蓋閉止ラッチ
７２  蓋閉止位置決めラッチ
【図１】
2021519618.tif 000003
【図２】
2021519618.tif 000004
【図３】
2021519618.tif 000005
【図４】
2021519618.tif 000006
【図５】
2021519618.tif 000007
【図６】
2021519618.tif 000008
【図７】
2021519618.tif 000009
【図８】
2021519618.tif 000010
【手続補正書】
【提出日】令和2年9月17日(2020.9.17)
【手続補正１】
【補正対象書類名】特許請求の範囲
【補正対象項目名】全文
【補正方法】変更
【補正の内容】
【特許請求の範囲】
【請求項１】
ハウジングと、前記ハウジング内に設置される外筒と、前記外筒内に枢動可能に設置され、内筒蓋が設けられる内筒とを備えるトップローディング衣類処理設備用の蓋開放システムであって、
蓋開放システムは、前記ハウジング又は前記外筒に設置される蓋開放ロックを含み、
前記蓋開放ロックには、突出して前記内筒蓋に設置される蓋開放ボタンに当接することで前記内筒蓋を開くことができる第１のラッチが設けられることを特徴とするトップローディング衣類処理設備用の蓋開放システム。
【請求項２】
前記蓋開放ロックには、さらに、突出して前記内筒蓋に当接することで前記第１のラッチを前記蓋開放ボタンに当接させることができる第２のラッチが設けられることを特徴とする請求項１に記載のトップローディング衣類処理設備用の蓋開放システム。
【請求項３】
前記内筒蓋にはストッパが設けられており、前記内筒蓋は、前記ストッパによって前記第２のラッチに当接することを特徴とする請求項２に記載のトップローディング衣類処理設備用の蓋開放システム。
【請求項４】
前記ハウジング内には、前記内筒に駆動接続される駆動モーターが設けられ、前記蓋開放システムは、さらに前記蓋開放ロックと前記駆動モーターにそれぞれ制御接続されるコントローラを含み、
前記コントローラは、前記第２のラッチを突出させるように前記蓋開放ロックを制御するために、前記内筒を駆動して前記ストッパと前記第２のラッチとが合わさる位置まで回動させるように前記駆動モーターを制御するために、及び前記第１のラッチを突出させて前記内筒蓋を開くように前記蓋開放ロックを制御するために使用されることを特徴とする請求項３に記載のトップローディング衣類処理設備用の蓋開放システム。
【請求項５】
前記第１のラッチの自由端には第１のローラーが設けられ、前記第１のラッチは前記第１のローラーを通じて前記蓋開放ボタンに当接し、及び／又は、
前記第２のラッチの自由端には第２のローラーが設けられ、前記第２のラッチは前記第２のローラーを通じて前記ストッパに当接し、及び／又は、
前記内筒蓋と前記内筒の間には戻しバネが設けられており、前記第１のラッチが前記蓋開放ボタンに当接すると、前記戻しバネは自動的に前記内筒蓋を開くことができることを特徴とする請求項１〜４のいずれか一項に記載のトップローディング衣類処理設備用の蓋開放システム。
【請求項６】
ハウジングと、前記ハウジング内に設置される外筒と、前記外筒内に枢動可能に設置され、内筒蓋が設けられる内筒とを備えるトップローディング衣類処理設備用の蓋閉止システムであって、
前記蓋閉止システムは、前記ハウジング又は前記外筒に設置される蓋閉止ロックを含み、
前記蓋閉止ロックには、突出すると前記内筒蓋に当接することで前記内筒蓋を閉じることができる第１のラッチが設けられることを特徴とするトップローディング衣類処理設備用の蓋閉止システム。
【請求項７】
前記蓋閉止ロックには、さらに、突出すると前記内筒蓋に当接することで前記第１のラッチを前記内筒蓋に当接させて前記内筒蓋を閉じることができる第２のラッチが設けられることを特徴とする請求項６に記載のトップローディング衣類処理設備用の蓋閉止システム。
【請求項８】
前記内筒蓋にはストッパが設けられており、前記内筒蓋は、前記ストッパによって前記第２のラッチに当接することを特徴とする請求項７に記載のトップローディング衣類処理設備用の蓋閉止システム。
【請求項９】
前記ハウジング内には、前記内筒に駆動接続される駆動モーターが設けられ、前記蓋閉止システムは、さらに前記蓋閉止ロックと前記駆動モーターにそれぞれ制御接続されるコントローラを含み、
前記コントローラは、前記第２のラッチを突出させるように前記蓋閉止ロックを制御するために、前記内筒を駆動して前記ストッパと前記第２のラッチとが合わさる位置まで回動させるように前記駆動モーターを制御するために、及び前記第１のラッチを突出させて前記内筒蓋を閉じるように前記蓋閉止ロックを制御するために使用されることを特徴とする請求項８に記載のトップローディング衣類処理設備用の蓋閉止システム。
【請求項１０】
前記第１のラッチの自由端には第１のローラーが設けられ、前記第１のラッチは前記第１のローラーを通じて前記内筒蓋に当接し、及び／又は、
前記第２のラッチの自由端には第２のローラーが設けられ、前記第２のラッチは前記第２のローラーを通じて前記ストッパに当接し、及び／又は、
前記内筒蓋と前記内筒の間には戻しバネが設けられており、前記第１のラッチが前記内筒蓋に当接するときに、前記内筒蓋は緩やかに閉じることができるように、前記内筒蓋が前記戻しバネにより開く傾向にあることを特徴とする請求項６〜９のいずれか一項に記載のトップローディング衣類処理設備用の蓋閉止システム。
【国際調査報告】
2021519618.tif 000011
2021519618.tif 000012
2021519618.tif 000013
2021519618.tif 000014
2021519618.tif 000015
2021519618.tif 000016